(57)【要約】  表示装置（２００）の表示処理部（２３０）は、ＰｉｎＰ機能を用いて、親画面の中央またはその上方に位置する子画面に野球中継番組の映像を表示しながら、中継現場である野球場の外野後方に設置された「広角レンズを備えたカメラ」が撮影した別の映像を親画面に表示する。
2017002642.tif 000002
【特許請求の範囲】
【請求項１】
中継番組の映像と、下部に中継現場の観衆が映っている別の映像とを個別に取得する取得処理部と、
ピクチャインピクチャ機能を用いて、上記別の映像を親画面に表示しながら、上記中継番組の映像を子画面に表示する表示処理部と、を備え、
上記別の映像は、上記中継現場のカメラによって生成された映像であり、
上記子画面は、上記親画面の中央又はその上方に位置している、ことを特徴とする情報機器。
【請求項２】
上記カメラは広角レンズを備えたカメラである、ことを特徴とする請求項１に記載の情報機器。
【請求項３】
上記取得処理部は、上記別の映像の取得先を示す取得先情報を上記中継番組の映像と一緒に取得し、更に、上記取得先情報を参照することによって上記別の映像を取得する、ことを特徴とする請求項１または２に記載の情報機器。
【請求項４】
上記カメラがマイクを備えており、
上記別の映像は、上記マイクによって取り込まれた音声が付いている映像であり、
上記中継番組の音声を出力しながら、上記マイクが取り込んだ音声を出力する音声出力処理部を備えている、ことを特徴とする請求項１から３のいずれか１項に記載の情報機器。
【請求項５】
情報機器による表示処理方法において、
中継番組の映像と、下部に中継現場の観衆が映っている別の映像とを個別に取得する取得処理ステップと、
ピクチャインピクチャ機能を用いて、上記別の映像を親画面に表示しながら、上記中継番組の映像を子画面に表示する表示処理ステップと、を含み、
上記別の映像は、上記中継現場のカメラによって生成された映像であり、
上記子画面は、上記親画面の中央又はその上方に位置している、ことを特徴とする表示処理方法。
【発明の詳細な説明】
【技術分野】
【０００１】
本発明は、複数のコンテンツを組み合わせ表示する機能を備えた情報機器、及び、そのような情報機器を含むシステムに関する。
【背景技術】
【０００２】
主たるコンテンツと従たるコンテンツとを組み合わせ表示する手法について、従来から様々な提案がなされている。【０００３】
例えば、特許文献１には、本文（主たるコンテンツ）と本文を補強する映像、画像、音声等（従たるコンテンツ）とから構成された複合コンテンツを表示する手法が示されている。また例えば、特許文献２には、ある番組（主たるコンテンツ）の映像を主画面に表示し、主画面の下方に配置された従画面に別の番組（従たるコンテンツ）の映像を表示する手法が示されている。
【先行技術文献】
【特許文献】
【０００４】
【特許文献１】国際公開第２０１２／０６６７４８号（２０１２年５月２４日公開）
【特許文献２】日本国公開特許公報「特許第４７６５４６２号明細書（２０１１年９月７日発行）」
【発明の概要】
【発明が解決しようとする課題】
【０００５】
最近のテレビ受信機の中には、ある領域に放送番組の映像を表示しながら、別の領域にブラウザ画面を表示できるものも存在する。【０００６】
また、最近の携帯端末は一昔前の携帯端末よりも通信機能が大きく向上しているので、ユーザは、最近の携帯端末を用いることにより、外出先から動画配信サイトを通じて動画をライブストリーミング配信することができる。【０００７】
従って、例えば、野球場（野球中継の中継現場）の観客席に居る人が動画をライブストリーミング配信している場合、視聴者は、上記のテレビ受信機を用いて、野球中継番組を視聴しながら、動画配信サイトに登録されたその動画を見ることができる。【０００８】
しかしながら、視聴者は、上記のテレビ受信機を用いて、野球中継番組を視聴しながら野球場の観客席に居る人が配信している動画を見ても、実際に観客席に居るかのような臨場感を味わうことはできない。【０００９】
本発明は、上記課題に鑑みて成されたものであり、その主な目的は、視聴者に対し、実際に中継現場に居るかのような臨場感を与えながら中継番組を視聴させる情報機器を実現することにある。
【課題を解決するための手段】
【００１０】
上記の課題を解決するために、本発明の一態様に係る情報機器は、中継番組の映像と、下部に中継現場の観衆が映っている別の映像とを個別に取得する取得処理部と、ピクチャインピクチャ機能を用いて、上記別の映像を親画面に表示しながら、上記中継番組の映像を子画面に表示する表示処理部と、を備え、上記別の映像は、上記中継現場のカメラによって生成された映像であり、上記子画面は、上記親画面の中央又はその上方に位置している。
【発明の効果】
【００１１】
本発明の一態様に係る情報機器は、視聴者に対し、実際に中継現場に居るかのような臨場感を与えながら中継番組を視聴させることができるという効果を奏する。
【図面の簡単な説明】
【００１２】
【図１】本発明の実施形態１に係るシステムを構成するＶＯＤサーバ、カメラ及び表示装置の各機器のブロック図である。
【図２】本発明の実施形態１、２に係るカメラが設置されている場所を示す図である。
【図３】中継番組を再生させるための操作を受け付けた後における、実施形態１、２に係る表示装置の初期動作を示すフローチャートである。
【図４】初期動作を終えた実施形態１、２に係る表示装置によって表示されている映像を例示する図である。
【図５】野球中継の現場（野球場）に来ている応援者と野球場に来ていない同じチームの応援者との双方が受ける「応援の一体感」が実施形態１、２に係るシステムによって高められることについて説明するための図である。
【図６】野球場に来ている応援者と野球場に来ていない同じチームの応援者との双方が受ける「応援の一体感」が実施形態１、２に係るシステムによって高められることについて説明するための別の図である。
【図７】本発明の実施形態２に係るシステムを構成する放送機器、カメラ及び表示装置の各機器のブロック図である。
【発明を実施するための形態】
【００１３】
〔実施形態１〕
以下、本発明の一実施形態に係るシステムに含まれるＶＯＤサーバ、表示装置及びカメラの各機器について図面を参照しながら詳細に説明する。
【００１４】
（各機器の概要及び構成）
システムに含まれる主要な各機器の概要及び構成について図１及び図２を参照しながら説明する。図１は、システムに含まれる主要な各機器の要部構成を示すブロック図である。図２は、カメラが設置されている場所を示す図である。
【００１５】
図１に示すように、本実施形態に係るシステムは、ＶＯＤサーバ１００、表示装置２００及びカメラ３００を含んでいるシステムである。
【００１６】
ＶＯＤサーバ１００は、中継番組（本実施形態では、野球中継の番組）の内容を示す（即ち、中継番組の映像及び音声を示す）配信データを配信するサーバである。
【００１７】
表示装置２００は、インターネットを介して中継番組の映像及び音声を示す配信データを受信し、該中継番組を再生する装置である。
【００１８】
カメラ３００は、広角レンズ３１０及びマイク３２０を備えたカメラ（広角カメラ）である。図２に示すように、カメラ３００は、野球中継の現場（野球場）の外野後方（本実施形態では、外野席後方に設けられた柱）に設置されている。
【００１９】
即ち、カメラ３００は、野球場の観客席及びグラウンドからなるエリアの略全体の様子を示す映像を撮影し、外野席に居る観客による声援の音を集音する。
【００２０】
（ＶＯＤサーバ１００）
図１に示すように、ＶＯＤサーバ１００は、記憶部１１０、配信処理部１２０、及び、通信部１３０を備えている。
【００２１】
記憶部１１０は、配信データが記録される記録媒体（例えば、ハードディスクドライブ）である。
【００２２】
配信処理部１２０は、通信部１３０を介して配信データを配信する。配信処理部１２０は、ＣＰＵによって実現されてもよい。
【００２３】
通信部１３０は、ＩＰ通信に対応した通信インタフェース（例えば、イーサネット（登録商標）インタフェース）である。
【００２４】
（表示装置２００）
図１に示すように、表示装置２００は、通信部２１０、取得処理部２２０、表示処理部２３０、音声出力処理部２４０、表示部２５０、スピーカ２６０、マイク２７０、及び、送信処理部２８０を備えている。
【００２５】
通信部２１０は、ＩＰ通信に対応した通信インタフェース（例えば、イーサネットインタフェース）である。
【００２６】
取得処理部２２０は、インターネットを介して、中継番組の映像と、カメラ３００によって撮影（生成）された別の映像（即ち、外野席で応援している観客が下部に映っており、観客の注目対象である対戦中の２チームが中央またはその上方に映っている映像）とを個別に取得する。
【００２７】
即ち、取得処理部２２０は、ＵＲＬ情報（上記別の映像の取得先を示す取得先情報）と中継番組の映像データ及び音声データとが含まれている配信データを受信することにより、ＵＲＬ情報と一緒に中継番組の映像を取得する。取得処理部２２０は、配信データに含まれているＵＲＬ情報を参照することによって上記別の映像の取得先であるカメラ３００に接続し、カメラ３００から上記別の映像を取得する。
【００２８】
表示処理部２３０は、ピクチャインピクチャ機能を用いて、上記別の映像を親画面に表示しながら、上記中継番組の映像を、親画面の中央又はその上方に位置している子画面に表示する。即ち、表示処理部２３０は、ピクチャインピクチャ機能を用いて、上記別の映像の一部分と上記中継番組の映像とを表示部２５０の表示領域内に表示する。
【００２９】
更に別の言い方をすれば、表示処理部２３０は、上記別の映像中の特定領域（中央またはその上方の領域）を除く残りの領域内の像を視聴者に視認させることができる形で、上記別の映像上に上記中継番組の映像を重畳表示する。本実施形態では、上記特定領域内の像は、カメラ３００から遠く離れている為にはっきりとは映っていない「対戦中の２チーム」が居るグラウンドの像であり、上記残りの領域内の像は、球場に来ている多数の観客の像である。
【００３０】
音声出力処理部２４０は、中継番組の音声をスピーカ２６０から出力しながら、カメラ３００が集音した音声をスピーカ２６０から出力する。
【００３１】
表示部２５０、スピーカ２６０、及び、マイク２７０は、それぞれ、公知の一般的なディスプレイ、スピーカ、及び、マイクである。
【００３２】
送信処理部２８０は、取得処理部２２０がカメラ３００から映像を取得している間、マイク２７０によって集音された（取り込まれた）視聴者の声援の音を示す音声データをカメラ３００に送信する。
【００３３】
なお、取得処理部２２０、表示処理部２３０、音声出力処理部２４０、及び、送信処理部２８０はＣＰＵによって実現されてもよい。
【００３４】
（カメラ３００）
図１に示すように、カメラ３００は、広角レンズ３１０、マイク３２０、生成処理部３３０、配信処理部３４０、通信部３５０、音声出力処理部３６０、及び、発光制御部３７０を備えている。
【００３５】
広角レンズ３１０及びマイク３２０は、それぞれ、公知の一般的なレンズおよびマイクである。
【００３６】
生成処理部３３０は、広角レンズ３１０が捉えている光景（野球場の観客席及びグラウンドからなるエリアの略全体の様子）を示す映像のデータであって、マイク３２０が集音した（取り込んだ）音声（外野席の声援の音）が付いている映像のデータを生成する。
【００３７】
配信処理部３４０は、カメラ３００に接続している表示装置２００に対し、生成処理部３３０が生成した音声付き映像のデータを、通信部３５０を介して配信する。
【００３８】
通信部３５０は、ＩＰ通信に対応した通信インタフェース（例えば、イーサネットインタフェース）である。
【００３９】
音声出力処理部３６０は、送信処理部２８０によってカメラ３００に送信された音声データが示す音声を、外部のスピーカ４００から出力する。
【００４０】
発光制御部３７０は、一定期間が経過する度に、該一定期間内においてカメラ３００が１台以上の表示装置２００から受信した音声データの総データ量（該一定期間における視聴者の声援の激しさを示す指標）を特定する。
【００４１】
発光制御部３７０は、総データ量を特定する度に、次の一定期間において該総データ量に応じた態様の発光動作を行うように、外部の発光装置５００を制御する。例えば、発光制御部３７０は、総データ量が多いほど発光強度が高くなるように、発光装置５００の発光動作を制御する。
【００４２】
なお、生成処理部３３０、配信処理部３４０、音声出力処理部３６０、及び、発光制御部３７０はＣＰＵによって実現されてもよい。
【００４３】
以上、システムに含まれる主要な機器であるＶＯＤサーバ１００、表示装置２００及びカメラ３００の概要及び構成について説明した。
【００４４】
なお、スピーカ４００及び発光装置５００は、それぞれ、公知の一般的なスピーカ及びＬＥＤ発光装置である。
【００４５】
（表示装置２００の動作）
次に、野球中継番組を再生させるための操作を受け付けた後における表示装置２００の動作について、更に図３〜図６を参照しながら説明する。
【００４６】
図３は、上記操作を受け付けた後における表示装置２００の初期動作を示すフローチャートである。図４は、初期動作を終えた表示装置２００によって表示されている映像を例示する図である。
【００４７】
図５及び図６は、野球場に来ている応援者と野球場に来ていない同じチームの応援者との双方が受ける「応援の一体感」が本実施形態に係るシステムによって高められることについて説明するための図である。
【００４８】
上記操作を受け付けた表示装置２００の取得処理部２２０は、図３に示すように、Ｓ１において、野球中継番組の内容を示す配信データの取得を開始する。
【００４９】
具体的には、取得処理部２２０は、ＶＯＤサーバ１００に対して野球中継の配信データを配信するように要求し、要求を受けたＶＯＤサーバ１００によって表示装置２００に送信される配信データを取得し始める。
【００５０】
この配信データには、図２に示されている「一塁側外野席付近のカメラ３００」が生成した映像の取得先を示すＵＲＬ情報と該カメラ３００の設置場所（一塁側外野席付近）を示す情報とのペアが含まれている。同様に、この配信データには、図２に示されている「三塁側外野席付近のカメラ３００」が生成した映像の取得先を示すＵＲＬ情報と該カメラ３００の設置場所（三塁側外野席付近）を示す情報とのペアが含まれている。
【００５１】
Ｓ１の後、表示処理部２３０及び音声出力処理部２４０は、それぞれ、取得処理部２２０によって取得された配信データを参照し、野球中継番組の映像及び音声の再生を開始する（Ｓ２）。具体的には、表示処理部２３０は、野球中継番組の映像を子画面に表示することによって、表示領域内の特定の領域（表示領域の中央またはその上方）に野球中継番組の映像を表示させ、音声出力処理部２４０は、野球中継番組の音声をスピーカ２６０から出力する。
【００５２】
更に、表示処理部２３０は、２つのカメラ３００の設置場所を示す情報を参照し、一方のカメラ３００の設置場所が示されたＵＩボタンと他方のカメラ３００の設置場所が示されたＵＩボタンとを表示領域の下部に表示する。
【００５３】
いずれかのＵＩボタン（通常、視聴者が応援するチームを応援する観客が居る外野席に対応するＵＩボタン）が視聴者によって押されると、取得処理部２２０は、押されたＵＩボタンに対応するカメラ３００によって配信されている音声付き映像の取得を開始する（Ｓ３）。
【００５４】
具体的には、取得処理部２２０は、押されたＵＩボタンに対応する設置場所を示す情報とでペアを成しているＵＲＬ情報を参照し、ＵＲＬ情報が示すＵＲＬにアクセスすることによって、カメラ３００に対して音声付き映像を配信するように要求する。取得処理部２２０は、要求を受けたカメラ３００によって表示装置２００に送信される音声付き映像を取得し始める。
【００５５】
Ｓ３の後、表示処理部２３０及び音声出力処理部２４０は、それぞれ、取得処理部２２０によって取得された映像及び音声の再生を開始する（Ｓ４）。具体的には、表示処理部２３０は、カメラ３００が生成した映像を親画面に表示することによって、表示領域内の残りの領域に映像の一部を表示させ、音声出力処理部２４０は、カメラ３００が集音した音声をスピーカ２６０から出力する。
【００５６】
より具体的には、音声出力処理部２４０は、本実施形態に特有の以下の処理（本発明において必須ではない処理）を行う。即ち、音声出力処理部２４０は、カメラ３００が集音した音声（観客の声援の音を示す音声）の平均出力レベルが番組音声（アナウンサーの実況の音声）の平均出力レベルよりも大きくなるように、カメラ３００が集音した音声を出力する。
【００５７】
その結果、表示領域に表示される内容は、例えば、図４のような内容となる。また、図５に示すように、視聴者は、カメラ３００が集音した音声（観客の声援の音を示す音声）を大音量で聞くことができる。
【００５８】
従って、視聴者は、自宅に居るにも関わらず、自身が応援するチームを応援する観客と野球場で一緒に応援しているかのような臨場感を受けながら、中継番組を視聴することができる。
【００５９】
Ｓ４の後、送信処理部２８０は、本実施形態に特有のＳ５の工程（本発明において必須ではない工程）を行う。即ち、送信処理部２８０は、表示装置２００が接続しているカメラ３００に対し、マイク２７０が集音した音声を示す音声データを送信する処理を開始する。
【００６０】
その結果、送信処理部２８０は、図５に示すような視聴者の声援の音を示す音声データをカメラ３００に送信することになる。そして、図６に示すように、音声データを受信したカメラ３００では、音声出力処理部３６０が、視聴者の声援の音をスピーカ４００から出力することになる。
【００６１】
そして、これにより、スピーカ４００の近くに居る観客は、「自身と同じチームを応援している野球場に来ていない視聴者」と一体となって応援している感覚を得ることになる。
【００６２】
なお、カメラ３００が多数の表示装置２００と接続している間、音声出力処理部３６０は、一定期間毎に以下の処理を行ってもよい。
【００６３】
即ち、音声出力処理部３６０は、一定期間の開始時に、多数の表示装置２００の中から任意の基準に基づいて（例えば、無作為に）一部の表示装置２００（例えば、１台の表示装置２００）を選択してもよい。そして、音声出力処理部３６０は、該一定期間において、選択した一部の表示装置２００が送信した音声データが示す音声のみをスピーカ４００から出力してもよい。
【００６４】
（システムのその他の利点）
本実施形態に係るシステムには、以下の利点もある。
・番組の配信者は、広角レンズを備えたカメラ３００を利用することにより、球場内の多くの観客の様子（実際に外野席に座った際に視野に入る観客の様子）を、映像を通じて視聴者に知らせることができる。
・表示領域の中央またはその上方に番組映像がある程度大きく表示されるので、視聴者は、選手の様子やプレイの進行状況を把握しやすい。
・表示領域の下部に映っている多数の観客があたかも番組映像を見ながら応援しているように見えるため、視聴者が受ける「多数の観客との応援の一体感」が増す。
【００６５】
なお、番組映像の表示に起因して、視聴者は、カメラ３００が配信する映像の一部分を視認できない。具体的には、視聴者は、カメラ３００が配信する映像の中央又はその上方に映っている像（対戦している２チームが居るグラウンドの像）を視認できない。
【００６６】
ただし、「カメラ３００は広角レンズを備えたカメラであるので、上記映像の上記一部分が見えたとしても選手の様子やプレイの進行状況を十分に把握できない」ことに鑑みれば、上記映像の上記一部分を視認できないことは視聴者にとって特段の問題にはならない、と言える。
【００６７】
なお、上記のシステムでは、表示装置２００は、番組映像とカメラ３００が配信する映像との境界がはっきりと視認できるように（境界が直線によって区切られるように）、番組映像とカメラ３００が配信する映像とを表示するようになっていた。しかしながら、本発明は、そのような構成には限定されない。
【００６８】
即ち、表示装置２００は、番組映像を子画面内に透過表示してもよい。例えば、表示装置２００は、上記番組映像の中心からの距離が相対的に遠い画素の透過率が相対的に高くなるように、番組映像を透過表示してもよい。
【００６９】
これにより、視聴者は、実際に中継現場に居るかのような臨場感をより強く受けながら、中継番組を視聴することができる。
【００７０】
また、表示装置２００は、大型表示装置（バックスクリーン）又はプロジェクター用のスクリーンを表す画像を予め内部に保持していてもよい。そして、表示装置２００は、中継番組の映像を子画面にそのまま表示するのではなく、中継番組の映像の上に上記スクリーンを表す画像を重畳表示してもよい。具体的には、表示装置２００は、上記スクリーンを表す画像を、周辺部分の透過率が０％となり、且つ、中央部分の透過率が１００％となるように（即ち、スクリーンの外縁部分のみを視聴者が視認できるように）、透過表示ししてもよい。
【００７１】
これにより、視聴者は、実際に野球場において観客と一体となってバックスクリーンに表示されている番組映像を視聴しているかのような感覚を得ることができる。
【００７２】
なお、上記のシステムでは、表示処理部２３０が、ピクチャインピクチャ機能を用いて、カメラ３００の映像の上に中継番組の映像を重畳表示するようになっていたが、本発明は、そのような構成に限定されない。
【００７３】
例えば、ＶＯＤサーバ１００が配信する中継番組の映像とカメラ３００の映像とを取得するサーバであって、カメラ３００の映像の上に中継番組の映像を重ね合わせることによって合成映像を生成するサーバ（図示せず）を別途設けてもよい。
【００７４】
この場合、表示装置２００は、ＶＯＤサーバ１００から、上記合成映像の取得先を示すＵＲＬ情報が含まれている配信データを取得し、ＵＲＬ情報が示す取得先（別途設けられたサーバ）から合成映像を取得し、取得した合成映像を表示してもよい。
【００７５】
（付記事項１）
表示装置２００は、カメラ３００が配信する映像を表示するモードと、カメラ３００が配信する映像を表示しないモードとを有していてもよい。
【００７６】
この場合、表示装置２００は、カメラ３００が配信する映像を表示するモードに設定されているときに限り、図３のフローチャートに従った動作を行ってもよい。換言すれば、表示装置２００は、カメラ３００が配信する映像を表示しないモードに設定されているときには、図３のフローチャートのＳ１及びＳ２のみを行う（Ｓ２においては、番組映像をフルスクリーン表示する）ようにしてもよい。
【００７７】
（付記事項２）
実施形態１に係るシステムは、３台の機器（カメラ３００、スピーカ４００、及び、発光装置５００）の代わりに、カメラ３００の機能とスピーカ４００の機能と発光装置５００の機能とを兼ね備えた１台の機器（現地機器）を含んでいてもよい。
【００７８】
また、カメラ３００は全方位カメラであってもよいし、標準レンズよりも画角が広い（焦点距離が短い）レンズ（例えば、超広角レンズや魚眼レンズ）を備えた他の種類のカメラ（超広角カメラや魚眼カメラ等）であってもよい。
【００７９】
あるいは、カメラ３００の代わりに、広角カメラではないＮ（Ｎ：複数）台のカメラを用いてもよい。この場合、表示装置２００は、親画面を構成するＮ＋１個の矩形領域のうちの、子画面により隠れる１つの矩形領域（非表示領域）を除くＮ個の矩形領域の各々に、カメラの映像を表示するようになっていてもよい。
【００８０】
例えば、カメラ３００の代わりに、５台のカメラを用いる場合、表示装置２００は、５つの矩形領域（非表示領域の左側に位置する矩形領域、非表示領域の左下に位置する矩形領域、非表示領域の真下に位置する矩形領域、非表示領域の右下に位置する矩形領域、及び、非表示領域の左側に位置する矩形領域）に、対応するカメラの映像を表示することにより、図４のような映像を表示してもよい。
【００８１】
上記のように構成された表示装置２００を用いても、視聴者は、実際に中継現場に居るかのような臨場感を受けながら中継番組を視聴できる。
【００８２】
なお、言うまでもなく、表示装置２００が図４のような映像を表示できるようにするためには、５台のカメラが適切な位置に適切な向きを向くように配置される必要がある。
【００８３】
また、各カメラは、ＧＰＳ等の位置情報を取得する機能と、３軸地磁気センサ等の向き情報を取得する機能とを、少なくとも有していてもよい。そして、各カメラは、別途設けられた端末（図示せず）からの指示に基づき、自機の位置情報を確認しながら適切な位置に到達するまで移動し、更に、自機の向きを適切な向きに調整するように構成されていてもよい。
【００８４】
なお、カメラを配置する者は、現在のカメラの位置及び向きから、球場全体のうちのどの部分が当該カメラの撮像範囲に入っているかを把握できる。逆に、カメラを配置する者は、球場全体のうちの所望の部分をカメラの撮像範囲に入れるため、当該カメラの位置及び向きをどのように調整すればよいかを把握できる。即ち、カメラを配置する者は、上記端末を用いて、各カメラに適切な指示を与えることができる。
【００８５】
（付記事項３）
表示装置２００はマイク２７０を備えていなくてもよい。即ち、表示装置２００（送信処理部２８０）は、外部のマイク（視聴者が身に着けるマイク）が集音した音声のデータを、ケーブル又は無線通信を介して取得できるように構成されていてもよい。
【００８６】
同様に、表示装置２００はスピーカ２６０を備えていなくてもよい。即ち、表示装置２００（音声出力処理部２４０）は、番組の音声およびカメラ３００が集音した音声を、外部のスピーカ（例えば、視聴者が身に着けるイヤホン）から出力してもよい。
【００８７】
（付記事項４）
表示装置２００は、番組を変更させる操作（例えば、チャンネル切替操作）が行われる度に、変更後の番組の内容を示す配信データの中に、番組映像とは別の映像（観衆が下部に映っている映像）の取得先を示すＵＲＬ情報が含まれているか否かを判定してもよい。そして、表示装置２００は、配信データの中にＵＲＬ情報が含まれていると判定した場合に限り、以下の処理を行ってもよい。
【００８８】
即ち、表示装置２００は、上記ＵＲＬ情報を参照することによって、上記別の映像の取得先であるカメラ（例えば、カメラ３００）から該別の映像（例えば、野球場の応援席の様子を示す映像）を取得してもよい。
【００８９】
〔実施形態２〕
本発明の別の一実施形態に係るシステムに含まれる放送機器、表示装置及びカメラの各機器について更に図７を参照しながら詳細に説明する。図７は、システムに含まれる主要な各機器の要部構成を示すブロック図である。なお、説明の便宜上、実施形態１にて説明した部材と同じ機能を有する部材については、同じ符号を付記し、その説明を省略する。
【００９０】
（各機器の概要及び構成）
システムに含まれる主要な各機器の概要及び構成について図７を参照しながら説明する。
【００９１】
図７に示すように、本実施形態に係るシステムは、放送機器１００’、表示装置２００’及びカメラ３００を含んでいるシステムである。
【００９２】
放送機器１００’は、中継番組（本実施形態では、野球中継の番組）の内容を示す（即ち、中継番組の映像及び音声を示す）配信データを配信する放送機器である。
【００９３】
表示装置２００’は、中継番組の映像及び音声を示す配信データを含む放送信号（放送波）を受信し、該中継番組を再生するテレビ受信機である。
【００９４】
（放送機器１００’）
図７に示すように、放送機器１００’は、記憶部１１０及び配信処理部１２０’を備えている。
【００９５】
配信処理部１２０’は、配信データを含む放送信号（放送波）を送信する。
【００９６】
（表示装置２００’）
図７に示すように、表示装置２００’は、通信部２１０、取得処理部２２０’、表示処理部２３０、音声出力処理部２４０、表示部２５０、スピーカ２６０、マイク２７０、送信処理部２８０、及び、チューナ２９０を備えている。
【００９７】
取得処理部２２０’は、放送波の受信により中継番組の映像を取得し、インターネットを介して、カメラ３００によって生成された別の映像を取得する。
【００９８】
即ち、取得処理部２２０’は、ＵＲＬ情報（上記別の映像の取得先を示す取得先情報）と中継番組の映像データ及び音声データとが含まれている配信データを受信することにより、ＵＲＬ情報と一緒に中継番組の映像を取得する。取得処理部２２０’は、配信データに含まれているＵＲＬ情報を参照することによって上記別の映像の取得先であるカメラ３００に接続し、カメラ３００から上記別の映像を取得する。
【００９９】
チューナ２９０は、公知の一般的なチューナ装置である。
【０１００】
（表示装置２００’の動作）
次に、野球中継番組を再生させるための操作を受け付けた後における表示装置２００’の動作について再び図３を参照しながら説明する。なお、本実施形態における、野球中継番組を再生させるための操作としては、例えば、以下の操作が挙げられる。
・野球中継番組が放送されているチャンネルがラストチャンネルである場合における表示装置２００’の電源をオンにする操作
・リモコンにおける、野球中継番組が放送されているチャンネルのボタンを押下する操作
上記操作を受け付けた表示装置２００’は、実施形態１に係る表示装置２００と同様に、図３のフローチャートに従った動作を行う。
【０１０１】
ただし、表示装置２００’がＳ１にて実行する具体的処理は、以下の点において、表示装置２００がＳ１にて実行する具体的処理と異なっている。
【０１０２】
即ち、取得処理部２２０’は、野球中継を放送している放送局を選局する処理を行うことにより、放送機器１００’が配信している野球中継の配信データの取得を開始する。
〔実施形態３〕
本発明の更に別の一実施形態に係るシステムについて説明する。
【０１０３】
本実施形態に係るシステムは、実施形態１に係るシステムと以下の点で異なっている。
【０１０４】
即ち、本実施形態に係る表示装置は、視聴者が選択したＵＩボタン（例えば、一塁側外野席に対応するＵＩボタン）に対応する対象チーム（例えば、一塁側のベンチに所属選手が居るチーム）の攻撃期間中に限り、カメラ３００（例えば、一塁側外野席後方のカメラ３００）が生成した映像を表示する。
【０１０５】
また、本実施形態に係る表示装置は、対象チームの守備期間中には、対象チームの攻撃期間中にカメラ３００の映像が表示される領域に、コミュニケーションツールの画面を表示する。コミュニケーションツールとしては、例えば、アバタチャット等のチャットアプリ（ＬＩＮＥ等）が挙げられる。
【０１０６】
このコミュニケーションツールは、野球中継番組を視聴している視聴者が野球場（中継現場）に居る観客（例えば、カメラ３００の周辺に居る観客）とコミュニケーションを取るためのツールである。
【０１０７】
なお、本実施形態に係る表示装置は、対象チームの攻撃期間および守備期間を以下の方法によって認識するように構成されていてもよい。
【０１０８】
即ち、表示装置は、視聴者が選択したＵＩボタンに対応するカメラ３００が生成した映像を解析することによって、映像下部に映っている観客（カメラ３００の近くに居る観客）の動きの大きさを定期的に特定してもよい。そして、表示装置は、動きが急に大きくなったタイミングを攻撃期間の開始時期（守備期間の終了時期）と認識し、動きが急に小さくなったタイミングを守備期間の開始時期（攻撃期間の終了時期）と認識してもよい。
【０１０９】
〔その他の実施形態〕
本発明の一実施形態に係る表示装置は、上記映像から人間（野球場に来ている観客）の像のみを抽出し、抽出した人間の像における動きの激しい部分（例えば、激しく動いている腕の像、ジャンプしている人間の像全体等）を更に抽出し、抽出した動きの激しい部分のみを表示してもよい。
【０１１０】
本発明の一実施形態に係る表示装置は、上記映像中の人間の顔画像を認識するようになっていてもよい。そして、上記表示装置は、認識した所定の大きさよりも大きい顔画像の部分を暈すための暈し処理を上記映像に対して施した上で、暈し処理後の映像を表示するようになっていてもよい。
【０１１１】
あるいは、上記表示装置は、所定の大きさよりも大きい顔画像を認識した場合には、上記映像全体に暈し処理を施した上で、暈し処理後の映像を表示するようになっていてもよい。
【０１１２】
（付記事項１）
一塁側外野席付近と三塁側外野席付近の各々に、複数台の現地機器が設置されていてもよい。例えば、ある現地機器が一塁側外野席後方に設置され、別の現地機器が一塁側の外野フェンスの柱に取り付けられていてもよい。具体的には、上記ある現地機器は、広角レンズ３１０が一塁側外野席及びグラウンドの方向を向くように配置されていてもよく、上記別の現地機器は、スピーカ４００の音声出力面やマイク３２０の音声取得面（ダイヤフラム面）が一塁側外野席の方向を向くように配置されてもよい。
【０１１３】
この場合、表示装置２００は、上記ある現地機器が生成する映像を表示しながら、上記別の現地機器が集音する音を出力してもよい。
【０１１４】
なお、上記ある現地機器及び上記別の現地機器の筐体は、人間に似せた外観の筐体であってもよい。上記人間に似せた外観の筐体は、例えば、一塁側のベンチに所属選手が居るチームのユニフォームを着た人間に似せた外観の筐体であってもよい。
【０１１５】
上記人間に似せた外観の筐体は、一塁側のベンチに所属選手が居るチームに過去に所属していた往年の名選手に似せた外観の筐体であることが望ましい。
【０１１６】
（付記事項２）
表示装置は、カメラ３００の映像と中継映像とを同期させるようになっていてもよい。即ち、表示装置２００は、任意の時刻ｔについて、時刻ｔに生成された「中継映像の画像フレーム」とカメラ３００が時刻ｔに生成した画像フレームとが略同時に表示されるように、カメラ３００の映像と中継映像とを再生してもよい。
【０１１７】
これにより、表示装置は、自装置との間の通信の品質が悪いカメラ３００の映像と、中継映像とを再生する場合にも、自装置との間の通信の品質が良いカメラ３００の映像と、中継映像とを再生する場合にも、視聴者に違和感を与えずに両方の映像を再生できる。
【０１１８】
なお、カメラ３００の映像と中継映像とを同期させるために絶対時刻を用いてもよい。
【０１１９】
（付記事項２’）
表示装置は、特定の内容（例えば、場内アナウンス）を示す音声のデータをＶＯＤサーバ１００から時刻ｔに取得し、且つ、同じ内容の音声のデータをカメラ３００から時刻ｔ＋Δｔ（時刻ｔ−Δｔ）に取得したことを検出した場合、以下のような同期再生処理を行ってもよい。
【０１２０】
即ち、表示装置は、その後の任意の時刻Ｔについて、時刻ＴにＶＯＤサーバ１００から取得した画像フレームと、時刻Ｔ＋Δｔ（時刻Ｔ−Δｔ）にカメラ３００から取得した画像フレームとを完全又は略同時に再生してもよい。
【０１２１】
あるいは、表示装置は、ＶＯＤサーバ１００から時刻ｔに取得した画像フレームに、時間の経過と共に見た目が変化する対象物の像が含まれており、且つ、カメラ３００から時刻ｔ＋Δｔ（時刻ｔ−Δｔ）に取得した画像フレームに、該像と同じ見た目の上記対象物の像が含まれている、ことを検出した場合に、上記の同期再生処理を行ってもよい。
【０１２２】
なお、中継番組が野球中継番組である場合、上記対象物は、例えば、スコアボードのＢＳＯカウント表示器であってもよい。
【０１２３】
（付記事項３）
表示装置は、次の測定処理を定期的に行ってもよい。即ち、表示装置は、前述の複数台の現地機器の各々について、自装置と該現地機器との間の通信の品質を測定してもよい。
【０１２４】
表示装置は、自装置と接続中の現地機器との間の通信の品質が一定レベル未満になったことを示す測定結果を得たタイミングで、接続先の現地機器を、自装置との間の通信の品質がより良好な現地機器に切り替えてもよい。
【０１２５】
そして、表示装置は、新たな現地機器が配信する音声付きの映像を再生してもよい。
【０１２６】
（付記事項４）
図５に示したように、表示装置は、番組音声よりも現地機器が集音した音声が目立つように、番組音声及び現地機器が集音した音声を出力することが望ましい。
【０１２７】
この点に鑑み、視聴者を取り囲むように配置された複数台のスピーカを表示装置に接続してもよい。そして、上記複数台のスピーカが接続された表示装置は、現地機器が集音した音声をサラウンド再生してもよい。
【０１２８】
あるいは、表示装置の左右に２台のスピーカ（例えば、２．１チャンネルのスピーカ）を配置してもよい。この場合、上記２台のスピーカが接続された表示装置は、現地機器が集音した音声が上記２台のスピーカから出力されるように、疑似サラウンド再生してもよい。
【０１２９】
例えば、表示装置２００は、中継番組の左チャンネルの音声の音像が表示装置２００の左側のある位置Ｌ１に定位し、且つ、カメラ３００が集音した左チャンネルの音声の音像が表示装置２００の左側の別の位置Ｌ２（ある位置Ｌ１よりも表示装置２００から遠い位置）に定位するように、左チャンネルの音声を再生してもよい。
【０１３０】
同様に、表示装置２００は、中継番組の右チャンネルの音声の音像が表示装置２００の右側のある位置Ｒ１に定位し、且つ、カメラ３００が集音した右チャンネルの音声の音像が表示装置２００の右側の別の位置Ｒ２（ある位置Ｒ１よりも表示装置２００から遠い位置）に定位するように、右チャンネルの音声を再生してもよい。
【０１３１】
（付記事項５）
実施形態１では、カメラ３００は、広角レンズ３１０が捉えている光景（野球場の観客席及びグラウンドからなるエリアの略全体の様子）を示す映像を生成し、生成した映像をそのまま配信するようになっていた。
【０１３２】
しかしながら、カメラ３００は、そのような構成には限定されない。
【０１３３】
例えば、カメラ３００は、生成した映像を以下のように加工した上で、加工後の映像を配信してもよい。
【０１３４】
即ち、カメラ３００は、生成した映像の各画像フレームに対し、該画像フレームの中央又はその上方の領域の情報量を減らすための加工を加えてもよい。例えば、カメラ３００は、各画像フレームについて、該画像フレームの中央又はその上方の領域内の画像を黒一色の画像に置き換えてもよい。
【０１３５】
（付記事項６）
表示装置は、表示画面の法線方向と同じ方向を向いているカメラ（即ち、番組を視聴する視聴者が撮影範囲内に入るように配置されているカメラ）を備えていてもよい。表示装置は、このカメラを用いて、メガホンを振りながら応援している視聴者の様子を示す映像を生成してもよい。
【０１３６】
表示装置は、生成した映像を解析することによってメガホンの振り方の激しさ（即ち、応援の激しさ）を認識し、メガホンの振り方の激しさのレベルを示す情報をカメラ３００に送信してもよい。
【０１３７】
カメラ３００は、表示装置から送信されるこの情報に基づいて、ＬＥＤ発光装置５００の発光強度を制御してもよい。
【０１３８】
あるいは、カメラ３００は、多数の表示装置から送信される音声データを解析することによって、多くの視聴者に共通する声援の内容を特定してもよい。そして、カメラ３００は、その内容の声援を送った視聴者の数に応じた発光強度で発光するように、ＬＥＤ発光装置５００を制御してもよい。
【０１３９】
また、実施形態１、２に係る表示装置２００は、視聴者の声援の音を示す音声データをカメラ３００に送信するように構成されていたが、本発明は、そのような構成に限定されない。
【０１４０】
例えば、カメラ３００は、様々な声援の内容について、その内容の音声（例えば、「かっとばせー」という声）を示す音声データとその内容の文字列（例えば、「かっとばせー」という文字列）を示すテキストデータとのペアを保持していてもよい。そして、表示装置２００は、視聴者の声援の声を検出すると、上記声援の音量、音圧、及び／又は、音程を文字列又は数値によって示す声援データと、上記声援の内容を示すテキストデータとをカメラ３００に送信してもよい。
【０１４１】
声援データとテキストデータとを受信したカメラ３００は、受信したテキストデータとでペアを成している音声データを保持しているか否かを判定してもよい。そして、カメラ３００は、そのような音声データを保持していると判定した場合には、テキストデータと共に受信した声援データに応じた音量の音がスピーカ４００から出力されるように、上記音声データが表す声援の音を再生してもよい。
【０１４２】
あるいは、カメラ３００は、外部の表示装置（図示せず）と接続されていてもよい。そして、カメラ３００は、多くの視聴者が発した声が示す内容を特定するとともに、その声が示す内容が肯定的な内容であるか否定的な内容であるかを判定してもよい。そして、カメラ３００は、その内容を示す声を発した視聴者の数とその内容とを、判定結果に応じた表示態様で外部の表示装置に表示してもよい。
【０１４３】
なお、多くの視聴者が発した声が示す内容が否定的な内容と判定されるケースとしては、例えば、多くの視聴者が、自身が応援しているチームの選手にブーイングを浴びせるケースが挙げられる。
【０１４４】
（付記事項７）
表示装置２００は、番組を配信するＶＯＤサービス事業者と視聴者との間で結ばれる契約の形態に応じた方法で、カメラ３００が配信する音声付き映像を再生してもよい。
【０１４５】
例えば、表示装置２００は、上記契約が無料契約である場合、カメラ３００が配信する映像をコマ落ち再生してもよい。あるいは、表示装置２００は、上記契約が無料契約である場合、カメラ３００が配信する音声を、当該音声があまり目立たないように再生してもよい。
【０１４６】
あるいは、表示装置２００は、上記契約が有料契約である場合、視聴者が応援するチームの応援歌（歌詞等）や応援の振り付け（メガホンダンス）に関する情報を表示してもよい。
【０１４７】
（付記事項８）
カメラ３００は、叩かれても壊れにくい素材で出来ていることが望ましい。
【０１４８】
また、カメラ３００は、観客の手の届かない高い位置に設置されていることが望ましい。あるいは、カメラ３００は、ドローンであってもよい。
【０１４９】
（付記事項９）
各実施形態では、中継番組の一例として野球中継番組を挙げた。他の種類の中継番組を例として挙げると以下の通りである。
・サッカー中継番組（中継現場：サッカー場、観衆の注目対象：対戦中の２チーム）
・ゴルフ中継番組（中継現場：ゴルフ場、観衆の注目対象：プレイ中の各選手）
・花火中継番組（中継現場：花火会場、観衆の注目対象：花火）
・ミュージカルの中継番組（中継現場：劇場、観衆の注目対象：劇団員）
・ファッションショーの中継番組（中継現場：イベント会場、観衆の注目対象：モデル）・天体ショー（例えば、皆既月食）の中継番組（中継現場：天体ショーを観測可能な任意の場所（例えば、ビルの屋上）、観衆の注目対象：天体）
なお、いずれの場合においても、カメラ３００は、観衆が下部に映っており、注目対象が中央又はその上方に映っているような映像を撮影可能な位置に配置される。
【０１５０】
〔ソフトウェアによる実現例〕
ＶＯＤサーバ１００（放送機器１００’）、表示装置２００及びカメラ３００の各機器の制御ブロック（特に、配信処理部１２０（１２０’）、取得処理部２２０（２２０’）、表示処理部２３０、音声出力処理部２４０、送信処理部２８０、生成処理部３３０、配信処理部３４０、音声出力処理部３６０、及び、発光制御部３７０）は、集積回路（ＩＣチップ）等に形成された論理回路（ハードウェア）によって実現してもよいし、ＣＰＵ（Central Processing Unit）を用いてソフトウェアによって実現してもよい。
【０１５１】
後者の場合、上記各機器は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５２】
〔まとめ〕
本発明の態様１に係る情報機器（表示装置２００）は、中継番組（野球中継番組）の映像と、下部に中継現場（野球場）の観衆が映っている別の映像とを個別に取得する取得処理部（取得処理部２２０）と、ピクチャインピクチャ機能を用いて、上記別の映像を親画面に表示しながら、上記中継番組の映像を子画面に表示する表示処理部（表示処理部２３０）と、を備え、上記別の映像は、上記中継現場のカメラ（カメラ３００）によって生成された映像であり、上記子画面は、上記親画面の中央又はその上方に位置している。
【０１５３】
上記の構成によれば、視聴者は、中継現場の観衆が下部に映っている映像を見ながら、中継番組を視聴することができる。即ち、視聴者は、中継現場において観衆の後ろで観衆と一緒に注目対象を見ているかのような気持ちになりながら、中継番組を視聴することができる。
【０１５４】
従って、上記情報機器は、視聴者に対し、実際に中継現場に居るかのような臨場感を与えながら中継番組を視聴させることができる、という効果を奏すると言える。
【０１５５】
なお、上記中継現場のカメラは、番組の中継に多数のカメラが用いられる場合における上記多数のカメラのうちの１台のカメラであってもよいし、番組の中継には用いられないカメラ（例えば、野球場の運営者が野球場に設置したカメラ）であってもよい。
【０１５６】
本発明の態様２に係る情報機器は、上記態様１において、上記カメラが広角レンズ（広角レンズ３１０）を備えたカメラであってもよい。なお、上記広角レンズは、標準レンズよりも画角が広い（焦点距離が短い）レンズであり、上記広角レンズの範囲には、一般的な広角レンズだけでなく、超広角レンズ及び魚眼レンズも含まれる。
【０１５７】
本発明の態様３に係る情報機器は、上記態様１または２において、上記取得処理部が、上記別の映像の取得先を示す取得先情報（ＵＲＬ情報）を上記中継番組の映像と一緒に取得し、更に、上記取得先情報を参照することによって上記別の映像を取得してもよい。
【０１５８】
上記の構成によれば、上記情報機器は、上記別の映像の取得先に変更があった場合であっても、上記中継現場の映像と一緒に取得する取得先情報が変更されていれば、ユーザに特段の操作を行わせることなく上記別の映像を取得できる、という更なる効果を奏する。
【０１５９】
本発明の態様４に係る情報機器は、上記態様１から３のいずれかの態様において、上記カメラがマイク（マイク３２０）を備えており、上記別の映像は、上記マイクによって取り込まれた音声が付いている映像であり、上記中継番組の音声を出力しながら、上記マイクが取り込んだ音声を出力する音声出力処理部（音声出力処理部２４０）を備えていてもよい。
【０１６０】
上記の構成によれば、視聴者は、上記マイクが取り込んだ音声（上記カメラの近くに居る人々の話し声）を聞きながら上記中継番組を視聴するので、実際に中継現場に来ている（上記人々の傍に居る）かのような気持ちになりながら上記中継番組を視聴できる。
【０１６１】
即ち、上記情報機器は、視聴者が受ける臨場感を一層高めることができる、という更なる効果を奏する。
【０１６２】
本発明の態様５に係る情報機器は、上記態様１から４のいずれかの態様において、上記中継現場が野球場であり、上記カメラは、上記野球場の外野後方に設置されているカメラであってもよい。
【０１６３】
上記の構成によれば、上記情報機器は、視聴者が実際に野球場で観戦しているかのような気持ちになりながら中継番組を視聴すること、を可能にするという更なる効果を奏する。
【０１６４】
本発明の態様６に係る表示処理方法は、情報機器による表示処理方法であって、中継番組の映像と、下部に中継現場の観衆が映っている別の映像とを個別に取得する取得処理ステップと、ピクチャインピクチャ機能を用いて、上記別の映像を親画面に表示しながら、上記中継番組の映像を子画面に表示する表示処理ステップと、を含み、上記別の映像は、上記中継現場のカメラによって生成された映像であり、上記子画面は、上記親画面の中央又はその上方に位置している。
【０１６５】
上記の構成によれば、上記表示処理方法は、上記態様１に係る情報機器と同様の作用効果を奏する。
【０１６６】
本発明の各態様に係る情報機器は、コンピュータによって実現してもよく、この場合には、コンピュータを上記情報機器が備える各部（ソフトウェア要素）として動作させることにより上記情報機器をコンピュータにて実現させる上記情報機器の制御プログラム（本発明の態様７に係るプログラム）、およびそれを記録したコンピュータ読み取り可能な記録媒体も、本発明の範疇に入る。
【０１６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６８】
２００        表示装置（情報機器）
２２０          取得処理部
２３０          表示処理部
２４０          音声出力処理部
３００        カメラ
３１０          広角レンズ
３２０          マイク
【図１】
2017002642.tif 000003
【図２】
2017002642.tif 000004
【図３】
2017002642.tif 000005
【図４】
2017002642.tif 000006
【図５】
2017002642.tif 000007
【図６】
2017002642.tif 000008
【図７】
2017002642.tif 000009
【国際調査報告】
2017002642.tif 000010
2017002642.tif 000011
2017002642.tif 000012
2017002642.tif 000013